(57)【要約】【課題】  ビームより下方の空間を広くとることができ、所定規格のワゴンを収納することができる折り畳みデスクを提供すること。【解決手段】  天板１を支柱３の上面に対して水平状態と、支柱３の後側において起立する垂直状態とに回動可能とする係止装置Ａが支柱３より外側に設けられている。支柱３は左右１対設けられ、これら支柱の上端間にビーム６が設けられ、このビームの下方が所定規格のワゴンＷを収納可能な空間に形成されている。【選択図】      図５
0003121428.tif 000002
【実用新案登録請求の範囲】
【請求項１】
天板を支柱の上面に対して水平状態と、支柱の後側において起立する垂直状態とに回動可能とする係止装置が設けられた折り畳みデスクにおいて、前記係止装置が支柱より外側に設けられていることを特徴とする折り畳みデスク。
【請求項２】
支柱が左右１対設けられ、これら支柱の上端間にビームが設けられ、このビームの下方が所定規格のワゴンを収納可能な空間に形成されている請求項１記載の折り畳みデスク。
【考案の詳細な説明】
【技術分野】
【０００１】
この考案は、オフィスの事務室等に用いられる折り畳みデスクに関するものである。ここで、「折り畳みデスク」とは一般的なＪＩＳ規格デスクの天板を水平状態から垂直状態に回動して折り畳めるようにしたものを指称するが、天板の左右の長さが長いデスクサイズとなった折り畳みデスクも含むものとする。
【背景技術】
【０００２】
本出願人は、嘗て操作において手を挟む危険性がなくて安全であり、操作性にも優れた折り畳みテーブルの係止装置を提供した（特許文献１参照）。この特許文献１に記載された折り畳みテーブルは、特許文献１の図５に示すように天板を水平状態と垂直状態とに回動して係止する係止装置が設けられているが、該係止装置が支柱の上端間に架設されたビーム上面と天板下面間に設けられている。そのため天板下面とビーム上面間がデッドスペースとなり、ビームの下方空間の有効利用がしにくかった。すなわち、テーブルの全高に対してビームより下方の空間が狭くなってしまうので、図８（Ａ）に鎖線で示すように所定規格の三段のワゴンＷ（例えば、その全高620mmがテーブルの全高700mmに対して所定に定められている）を収納しようにも相当高さの低いタイプでないと収納することができず、三段ワゴンＷは事実上収納することができないという問題があった。これは図８（Ｂ）に示すように係止装置が支柱の上端部内側と天板下面間に設けられている場合も同様である。この場合にはビームを係止装置より下方の支柱間に架設しなければならず、やはりビームより下方の空間が狭くなってしまうからである。
【０００３】
【特許文献１】特許第２８６８７５５号公報
【考案の開示】
【考案が解決しようとする課題】
【０００４】
そこでこの考案は、前記従来の問題を解決することができ、ビームより下方の空間を広くとることができ、所定規格のワゴンを収納することができる折り畳みデスクを提供することを目的とする。
【課題を解決するための手段】
【０００５】
前記課題を解決するために、請求項１に記載の考案は、天板を支柱の上面に対して水平状態と、支柱の後側において起立する垂直状態とに回動可能とする係止装置が設けられた折り畳みデスクにおいて、前記係止装置が支柱より外側に設けられていることを特徴とする。
【０００６】
請求項２に記載の考案は、請求項１において、支柱が左右１対設けられ、これら支柱の上端間にビームが設けられ、このビームの下方が所定規格のワゴンを収納可能な空間に形成されていることを特徴とする。
【考案の効果】
【０００７】
この考案は、前記のようであって、係止装置が支柱より外側に設けられているため、ビームを支柱上端に取り付けることが可能となり、下部空間が広がり、従来、収納ができなかった所定規格のワゴンを収納することができるという優れた効果が期待できる。
【考案を実施するための最良の形態】
【０００８】
この考案の一実施の形態を、添付した図面を参照しながら詳細に説明する。
【０００９】
図１は折り畳みデスクの全体側面図、図２は天板等を外した要部の一部省略の斜視図、図３は図２のIII−III線に沿う一部省略の概略拡大縦断側面図、図４は作用説明用の一部破断側面図、図５は天板の一方の側の要部の拡大縦断正面図、図６はラッチプレート部材の斜視図である。
【００１０】
１は折り畳みデスクを構成する天板で、該天板の下面両側部には天板取付用フランジ部２ａを有する断面略コ字状のフレーム体２が上方開口側を天板１と対向させて前後方向を向いて固着されている。３は左右１対の支柱で、下面に前後１対のキャスター４，４を有する脚台５のやや後部側に立設されている。各支柱３の上端間には横向きビーム６が架設されている。横向きビーム６の反対側となる各支柱３の外側位置には図５に示すように係止装置Ａが設置されている。すなわち、係止装置Ａには図６に示すような形状のラッチプレート部材７がフレーム体２にその下方より嵌合して固着されている。ラッチプレート部材７とフレーム体２は左右方向にこれらを貫通する回動軸８で枢支されている。これにより天板１は図１，３に示すように回動軸８を支点として支柱３の上端近くにおいて倒伏する水平状態（使用状態）と、図４に示すように支柱３の後側において起立する垂直状態（不使用状態）とに回動されるようになっている。
【００１１】
10は天板１の下面において左右方向を向き、各フレーム体２，２間に回動可能に架設された連結軸で、各フレーム体２，２間にあっては断面略コ字状の収納フレーム11内に収納され、外部に現出しないようになっている。連結軸10の各フレーム体２，２内の端部にはピニオン12が装着されている。15は各フレーム体２，２内にスライド自在に収納された断面略コ字状のスライド部材で、その前端側の内面にはピニオン12と噛合するラック16が設けられ、一方側のスライド部材15をスライドするとラック16と噛合するピニオン12が回転し、この回転力が連結軸10を介して他方側のピニオン12とラック16に伝えられ、同時に他方側のスライド部材15をもスライドさせるようになっている。17はスライド部材15の前側の下面に形成されたストッパ部であり、後記引張りばねによりスライド部材15が後側に付勢されているときに各フレーム体２，２の前端縁18に係止する。19はスライド部材15のストッパ部17より前側の下面に指を引っ掛け易いように凹欠されて設けられた操作用の把手部である。
【００１２】
スライド部材15のラッチプレート部材７近くの位置には前後方向に間隔をおいて係止ピン21と係止ピン22が両側壁を貫通して設けられている。係止ピン21と係止ピン22が移動可能に係合する長穴24と長穴25が各フレーム体２，２の両側壁に横向きに設けられている。また、スライド部材15の両側壁の係止ピン21と係止ピン22の中間位置には回動軸８に係合する長穴26が横向きに設けられている。28は引張りばねで、一端部が係止ピン22に係合し、他端部が各フレーム体２，２の後端部に嵌合された閉塞用キャップ29に係合して取り付けられており、この引張りばね28によりスライド部材15は常時、係止ピン21と係止ピン22がそれぞれ長穴24と長穴25の後端部に係合し、かつストッパ部17が各フレーム体２，２の前端縁18に係止するように付勢されるようになっている。
【００１３】
31はラッチプレート部材７の両側壁の前側に形成された係止溝で、天板１が水平状態にあって引張りばね28の付勢力を受けるスライド部材15の係止ピン21と係止ピン22がそれぞれ長穴24と長穴25の後端部に係合したときに係止ピン21が係止するようになっている。32はラッチプレート部材７の外側の側壁の後側に形成された係止溝で、天板１が垂直状態にあって引張りばね28の付勢力を受けるスライド部材15の係止ピン21と係止ピン22がそれぞれ長穴24と長穴25の後端部に係合したときに係止ピン22が係止するようになっている。34はラッチプレート部材７の両側壁の係止溝31近くの上縁部に切欠き形成されたテーパ部であり、天板１を垂直状態から水平状態にするべく回動して係止ピン21を係止溝31へ係止する際に係止ピン21を当接し摺動させて係止溝31までガイドするようになっている。35はラッチプレート部材７の外側の側壁の係止溝32近くの側縁部に切欠き形成されたテーパ部であり、天板１を水平状態から垂直状態にするべく回動して係止ピン22を係止溝32へ係止する際に係止ピン22を当接し摺動させて係止溝32までガイドするようになっている。
【００１４】
次に、この実施の形態の作用を説明する。図３の水平の使用状態において天板１を折り畳んで垂直の不使用状態にするには矢印で示すように左右にあるいずれか一方のスライド部材15を把手部19に指をひっかけて引張りばね28の付勢力に抗して前側にスライドさせる。すると、図４に１点鎖線で示すようにストッパ部17が各フレーム体２，２の前端縁18から離れ、係止ピン21と係止ピン22がそれぞれ長穴24と長穴25の後端部から前端部に係合するようになるとともに、係止ピン21が係止溝31から外れる。係止ピン21が係止溝31から外れた後、前記のスライド状態を保持したまま天板１の前部を持ち上げて上向き回動させると、天板１は回動軸８を支点として回動し、係止ピン21はテーパ部34の上方を通ってその回動軌跡に沿って移動する。係止ピン21がテーパ部34の上方を通った後にスライド状態を解除すると、スライド部材15は再び引張りばね28の付勢力を受けてストッパ部17が各フレーム体２，２の前端縁18に係合し、係止ピン21と係止ピン22がそれぞれ長穴24と長穴25の後端部に係合するようになる。
【００１５】
そして天板１が図４に２点鎖線で示すように水平状態から傾斜状態へ、さらに傾斜状態から実線で示すように支柱３の後側において起立した垂直状態に至り、この垂直状態で係止ピン22が係止溝32に係止し、この垂直状態が保持される。この垂直近くの状態になったときに係止ピン22は一旦テーパ部35に当接した後に該テーパ部上を摺動するようにガイドされて係止溝32に係止するので、係止がきわめてスムーズである。このとき長穴25の外側の縁が少し外向きに突出した湾曲状に形成されているため係止ピン22はテーパ部35から係止溝32にスムーズに移行して入る。
【００１６】
図４の不使用状態から再び図１の使用状態にするには前記と同様にまず左右にあるいずれか一方のスライド部材15を把手部19に指をひっかけて引張りばね28の付勢力に抗して前側にスライドさせる。これによりストッパ部17が各フレーム体２，２の前端縁18から離れ、係止ピン21と係止ピン22がそれぞれ長穴24と長穴25の後端部から前端部に係合するようになるとともに、係止ピン22が係止溝32から外れることとなるので、係止ピン22が係止溝32から外れた後、前記のスライド状態を保持したまま上方を向いている天板１の前部を手前側に倒すようにして下向き回動させる。すると、天板１は回動軸８を支点として前記とは逆向きに回動し、係止ピン22はテーパ部35の上方をその回動軌跡に沿って移動する。そして天板１は垂直状態から傾斜状態へ、さらに傾斜状態から支柱３の上面近くの水平状態に至り、この水平状態で係止ピン21が係止溝31に係止し、この水平状態が保持される。この水平近くの状態になったときも係止ピン21は一旦テーパ部34に当接した後に該テーパ部によりガイドされて係止溝31に係止するので、係止がきわめてスムーズである。前記においても係止ピン22がテーパ部35の上方を通った後にスライド状態を解除すると、スライド部材15は再び引張りばね28の付勢力を受けてストッパ部17が各フレーム体２，２の前端縁18に係合し、係止ピン21と係止ピン22がそれぞれ長穴24と長穴25の後端部に係合する。
【００１７】
前記のようであって、係止装置Ａが図５に示すように各支柱３より外側の位置に設けられているため、ビーム６を各支柱３の上端間に取り付けることが可能となり、しかも天板１下面とビーム６上面間の隙間を小さくしてデッドスペースをなくすことが可能となり、デスクの全高に対してビーム６より下方の空間を広くとることができる。したがって、図７に示すように従来、収納ができなかった所定規格のワゴンＷも十分収納することができる。
【００１８】
図示省略したが、係止装置Ａの外側には使用者等が操作に際し手指を挟まれるのを防止するための危険防止カバー板を、ラッチプレート部材７を覆うように設けるのが好ましい。
【００１９】
この実施の形態は好ましい一例を示したにすぎず、ラッチプレート部材７の形状をはじめ係止装置Ａの具体的な構造や配置は実施に際し、実用新案登録請求の範囲の記載の範囲内で任意に修正、変更することができるものである。また、ビーム６より下方の空間に収納するワゴンＷも好ましい一例を示したにすぎず、必ずしも図示したようなものでなくともよい。
【図面の簡単な説明】
【００２０】
【図１】この考案の一実施の形態の折り畳みデスクを示す全体側面図である。
【図２】天板等を外した要部の一部省略の斜視図である。
【図３】図２のIII−III線に沿う一部省略の概略拡大縦断側面図である。
【図４】作用説明用の一部破断側面図である。
【図５】天板の一方の側の要部の拡大縦断正面図である
【図６】ラッチプレート部材の斜視図である。
【図７】デスクに所定規格の三段のワゴンを収納した状態を示す要部の正面図である。
【図８】（Ａ），（Ｂ）はそれぞれ従来の所定規格の三段のワゴンを収納できない例を示す要部の正面図である。
【符号の説明】
【００２１】
Ａ  係止装置
１  天板
２  フレーム体
３  支柱
６  ビーム
７  ラッチプレート部材
８  回動軸
10  連結軸
11  収納フレーム
12  ピニオン
15  スライド部材
16  ラック
17  ストッパ部
21，22  係止ピン
24，25，26  長穴
28  引張りばね
31，32  係止溝
34，35  テーパ部
【図１】
0003121428.tif 000003
【図２】
0003121428.tif 000004
【図３】
0003121428.tif 000005
【図４】
0003121428.tif 000006
【図５】
0003121428.tif 000007
【図６】
0003121428.tif 000008
【図７】
0003121428.tif 000009
【図８】
0003121428.tif 000010